(57)【要約】【課題】  構造が簡潔で操作しやすい丁合機用ちらし類補充装置を提供する。【解決手段】  ちらし類が積層載置される給紙板３Ａを上下に複数段にわたって配設した丁合機において、給紙板３Ａ上に載置可能な補助給紙板１１の後部に、左右方向に延びる横棒１２を取付け、給紙板３Ａに取付けたちらし類側部ガイド用のガイド板２１ａ，２１ｂの上辺部に、横棒１２が嵌脱される上向きの切欠き２２を設け、ちらし類補充時に切欠き２２に横棒１２の両端部を嵌合させることにより補助給紙板１１を傾斜状態で給紙板３Ａ上に保持するようにした。【選択図】      図１
2006069690.tif 000002
【特許請求の範囲】
【請求項１】
ちらし類が積層載置される給紙板を上下に複数段にわたって配設した丁合機において、前記給紙板上に載置可能な補助給紙板の後部に、左右方向に延びる横棒を取付け、前記給紙板に取付けたちらし類側部ガイド用のガイド板の上辺部に、前記横棒が嵌脱される上向きの切欠きを設け、ちらし類補充時に前記切欠きに前記横棒の両端部を嵌合させることにより前記補助給紙板を前傾状態で前記給紙板上に保持するようにしたことを特徴とする丁合機用ちらし補充装置。
【発明の詳細な説明】
【技術分野】
【０００１】
この発明は、新聞折込広告丁合用の丁合機や新聞にちらし類を折込む丁合機において、ちらし類を給紙板上に補充する補充装置に関する。
【背景技術】
【０００２】
一般に新聞折込広告用の数種類のちらしを一枚ずつ寄せ集めて１束にセットする丁合機としては、ちらしが積層載置される給紙板（給紙台の傾斜板部）を上下に複数段にわたって配設した縦型の丁合機が用いられており、給紙板上のちらしは給紙ローラ等の給紙装置により最上層のちらしから１枚ずつ給紙されて縦送り装置により下方へ搬送され、各段の給紙分が重ね合わされて最下段部で二つ折りにしたちらしの中にはさみ込まれ、ちらし束としてひとまとめにセットされる（たとえば特許文献１参照。）。
【特許文献１】特開２００１−９７６０９号公報（第３頁、図１、図２）
【０００３】
そして上記給紙装置、従って丁合機は、通常毎分７０〜１３０セットの丁合ができる能力を有するものであるため、給紙板上に積層したちらしは短時間で無くなり、このため給紙板上にはちらしを適時補充（追い積み）する必要がある。このちらしの補充は、給紙板上のちらし層全体の後端部側を持上げて、その下側に補充するちらしを押込む作業を、各段にわたっておこなう必要があり、労力および熟練を要するものであった。なおこの発明およびこの明細書において、「前」側とはちらしの給紙時進行方向側を称し、「後」側とはその反対側を称し、また左右方向とは前後方向に直交する方向を称するものとする。
【０００４】
そこでこのちらしの補充作業を容易化するものとして、給紙板に係合し該給紙板上を移動可能な補助給紙板の後端部を持上げて、上段側の給紙板に係止させる丁合機の給紙トレイが提案されている（特許文献２参照。）。
【特許文献２】実開平４−１３８０６３号公報（第１−２頁、図１−図３）
【０００５】
しかし上記特許文献２記載の給紙トレイは、ちらし補充時に後端部を上段側の給紙板に係止させた補助給紙板は、後部側が上方に大きく傾斜した状態となり、補助給紙板上のちらし量が多い状態ではこのちらしが上段側の給紙板と干渉するためちらしの補充ができず、また長いちらしの場合は係止部とちらし後部との干渉を避けるため補助給紙板およびこれを係止させる給紙板は長尺のものとしておかねばならない。さらにちらしの補充にあたっては先ず給紙板上の補助給紙板と該給紙板との係合を解除し、補充後は補充したちらし層の下に挿入した補助給紙板を給紙板に再係合させねばならないので、この補助給紙板の係合解除・再係合が極めて面倒で時間もかかるなど、多くの問題点を有するものであった。
【０００６】
そこでこれらの問題点を解決するものとして、本出願人は、平面形状略コ字状の揺動棒の縦棒部先端を給紙板に取付け、上記揺動棒の横棒部に補助給紙板を取付けて、ちらし側部ガイド用のガイド板の上端面部に係合させた上記横棒により補助給紙板を傾斜状態に保持して、その下側にちらしを補充するようにした丁合機用ちらし補充装置を提案した（特許文献３参照。）。
【特許文献３】特開平１１−７９４１７号公報（第２−５頁、図１−図１２）
【０００７】
この提案によれば、補助給紙板上に多量のちらしが残っている状態でも該ちらしと上段側の給紙板との干渉をおこすことなくちらしの補充ができ、長尺のちらしにそなえて補助給紙板および給紙板を殊更長尺のものとする必要もなく、また補助給紙板は給紙板に直接係脱させる必要はないので、ちらし補充作業を容易におこなうことができるちらし補充装置が得られる。
【０００８】
しかしその後、本発明者らは、上記特許文献３記載のちらし補充装置のさらなる改善を図るため鋭意検討を重ねた結果、上記補助給紙板は揺動棒を介して給紙板に連結されているため、たとえば上記の傾斜状態に保持した補助給紙板の下側にちらしを押込んだのちに補助給紙板を後方へ引出し、次いでちらし層の後部下側に補助給紙板を押込むなどの補助給紙板の一連の操作が、上記連結構造により拘束されて片手操作ではやりにくく、また揺動棒の給紙板への揺動および前後動自在な取付構造や揺動棒の伸縮自在な縦棒部の構造などは構造が複雑で、簡素化が望まれるなどの新たな問題点が見出された。
【０００９】
また上記の新聞折込広告丁合用の丁合機の他に、上記の丁合によって得たちらしのセット（ちらし束）や二つ折り乃至四つ折りされた大版のちらし，新聞の増頁などを寄せ集めて、新聞本紙に折り込む（挿入する）丁合機としても、上記と同様な給紙板および給紙装置をそなえた縦型の丁合機が用いられているが（たとえば特許文献４参照。）、この丁合機も給紙板上へのちらし束等の補充に関して上記と同様な問題点を有するものであった。特にちらし束を給紙板上に積層してさらに丁合をおこなう場合は、１枚物のちらしより格段に厚いちらし束は、丁合により短時間で無くなり頻繁な補充を要するため、上記各問題点の解消が強く望まれている。
【特許文献４】特開平６−９２５３６号公報（第３−５頁、図１−図３）
【発明の開示】
【発明が解決しようとする課題】
【００１０】
この発明は上記の点にかんがみてなされたもので、構造が簡潔で操作しやすい丁合機用ちらし類補充装置を提供することを目的とする。
【課題を解決するための手段】
【００１１】
上記目的を達成するためにこの発明は、ちらし類が積層載置される給紙板を上下に複数段にわたって配設した丁合機において、前記給紙板上に載置可能な補助給紙板の後部に、左右方向に延びる横棒を取付け、前記給紙板に取付けたちらし類側部ガイド用のガイド板の上辺部に、前記横棒が嵌脱される上向きの切欠きを設け、ちらし類補充時に前記切欠きに前記横棒の両端部を嵌合させることにより前記補助給紙板を傾斜状態で前記給紙板上に保持するようにしたことを特徴とする。
【００１２】
この発明においてちらし類とは、丁合されていない１枚物のちらし、丁合済みのちらし束、新聞増頁、新聞増頁を折り紙として丁合したちらし束等の、各種丁合対象物を総称するものである。
【発明の効果】
【００１３】
この発明によれば、補助給紙板に取付けた横棒の両端部をガイド板に設けた切欠きに嵌合させて補助給紙板を傾斜状態に保持してその下側にちらし類を補充するようにしたので、ちらし類補充装置の構造は極めて簡潔であり低コストで装置を製造できるとともに、傾斜状態の補助給紙板は前後移動を阻止された安定した状態でほぼ定位置に保持されるので、ちらし類の補充は両手を用いて迅速容易におこなうことができ、また補助給紙板および横棒と給紙板を連結する連結部材は存在しないので、ちらし類補充時の補助給紙板の引出しや押込みなどの操作も容易におこなうことができ、操作性がすぐれた丁合機用ちらし類補充装置が得られる。
【発明を実施するための最良の形態】
【００１４】
以下、図１〜図８に示す一例により、この発明の実施の形態を説明する。図１〜図３は新聞折込広告用のちらしの丁合をおこなう丁合機１の一部を示し、基枠である左右のフレーム２，２間に、水平方向に延びる給紙台３が上下に間隔をおいて複数段設置され、各給紙台３の前端部付近に、給紙ローラ４と補助ローラ５とから成る給紙装置６を配設してある。給紙台３は、フレーム２にピン７により傾動可能に支持された傾斜板状の給紙板３Ａと、両端部をフレーム２に固着された上向きに開口する梁状のテーブル３Ｂとから成り、テーブル３Ｂの上面は、給紙ローラ４の外周に対向する紙さばき用の駒片８が露出する穴部を除いてカバー９によって覆われ、給紙対象であるちらし３１は給紙板３Ａ上に積層載置（積層状態で載置）され、その前端部はカバー９上に延びている（図４参照）。
【００１５】
１１は給紙板３Ａ上に載置可能な金属薄板製の補助給紙板で、そのＬ字状に折曲げた後端部１１ａには、左右方向に延びる横棒１２がねじ止め１３により固定取付けされている。１４は横棒１２の両端部に設けたつば状の太径部で、横棒１２が横移動により後述の切欠き２２から外れてしまうのを防止するストッパとして、横棒１２の長さ等により必要に応じて設けられる。またこの例では、補助給紙板１１の上面および下面には、摺動摩擦軽減用に補助給紙板１１の表面より摩擦抵抗の小さいポリエチレン樹脂製の帯板１５，１６が、前後方向に延びる形でそれぞれ３枚同位置に接着してある。
【００１６】
また給紙板３Ａには、ちらしの側部ガイド用の一対のガイド板２１ａ，２１ｂが、矢印Ｘで示す左右方向に摺動自在に取付けてあり、これらのガイド板２１ａ，２１ｂの上辺部には、前記横棒１２の両端部が嵌脱される上向きの切欠き２２が、それぞれ設けられている。
【００１７】
上記構成のちらし補充装置３０をそなえた丁合機１においては、図１および図４に示すように給紙板３Ａ上に載置した補助給紙板１１を適宜量だけ後方へ引出し、この補助給紙板１１および給紙板３Ａ上に、図４に示すようにちらし３１を積層載置し、ガイド板２１ａ，２１ｂの間隔をちらし巾に合せ、通常の丁合機と同様に給紙装置６の各ローラによる摩擦駆動と駒片８の摩擦による送出阻止作用によって、最上層のちらし３１を順次前方へ給紙して丁合をおこなう。
【００１８】
ちらし３１が減量して補充をおこなう際は、先ず図５に示すように補助給紙板１１を前方へ押込みつつその後部を上方へ移動させて、横棒１２の両端部をガイド板２１ａ，２１ｂの上辺部の切欠き２２，２２に嵌合させる。これによってちらし３１は後部側を持上げられた補助給紙板１１と共に傾斜状態（前下がりの前傾状態）となるので、図６に示すようにこの傾斜状態の補助給紙板１１と給紙板３Ａの間のくさび状の空間３２内に補充用のちらし３３を押込む。
【００１９】
次いで図７に示すように補助給紙板１１を後方へ引出せば、補助給紙板１１はちらし３１，３３間から抜け出すので、このちらし３３の後部下側に補助給紙板１１の前端部を挿入し、図８に示すように補助給紙板１１と共にちらし３３を前方へ押込んでちらし３１の下側に重ねた状態とすることにより、ちらし補充工程が終る。
【００２０】
このようにちらし補充時には、図５および図６に示すようにガイド板２１ａ，２１ｂの切欠き２２，２２に嵌合し支持された横棒１２によって、補助給紙板１１およびちらし３１が傾斜状態に保持されるとともに、補助給紙板１１は前後にガタついたり平面内で旋回したりすることなくほぼ定位置に保持されるので、ちらし３２の補充は両手を用いて迅速容易におこなうことができる。またガイド板２１ａ，２１ｂの高さおよび切欠き２２の深さの選定により補助給紙板１１の傾斜角度を小さくおさえることができ、補助給紙板１１上に多量のちらし３１が残っている状態でも、このちらし３１と上段側の給紙板３Ａ（図５に鎖線で示す）との干渉をおこすことなくちらし３３の補充をおこなうことができる。
【００２１】
また補助給紙板１１の傾斜状態保持は、補助給紙板１１に取付けた横棒１２と、ガイド板２１ａ，２１ｂに設けた切欠き２２，２２との嵌合によりおこなう構成としたので、ちらし補充装置３０の構造は極めて簡潔であり低コストで装置を製造できるとともに、補助給紙板１１および横棒１２と給紙板３Ａとを連結する連結部材は存在しないので、前述のちらし補充時の補助給紙板１１のちらし層からの引出しや押込みなどの操作を容易におこなうことができるのである。
【００２２】
またこの例では、補助給紙板１１の上面および下面に摺動摩擦軽減用の帯板１５，１６を取付けてあるので、補助給紙板１１のちらし層下側への押込みや引出し操作時に、最下層のちらしが無理に押込まれて損傷したり引抜かれて離脱したりするの防止できるとともに、軽い操作力でちらしの補充をおこなうことができるのである。
【００２３】
次に図９はこの発明の実施の形態の他の例を示し、前記の例（以下第１例という）に比べて、ガイド板２１ａ，２１ｂの上辺部に設ける切欠きの個数および補助給紙板１１に対する横棒１２の取付位置が異なるだけで、その他の構成は第１例と同じであるので、図１〜図３と同一または相当部分には同一符号を付して図示し、それらの部分の詳細な説明は省略する。
【００２４】
すなわちこの例では、図９に示すようにガイド板２１ａ，２１ｂの上辺部の切欠き２２の後側位置に、同形状の上向きの切欠き２３をもう１個設けてあり、また第１例より前後方向の長さがやや長い補助給紙板１１の後端部１１ａより前側寄りの位置に、横棒１２を固定取付けしてある。
【００２５】
この例のちらし補充装置３５におけるちらしの補充も第１例と同様にしておこなうものであるが、補助給紙板１１上のちらしの残量が多い場合には、ガイド板２１ａ，２１ｂの後側の切欠き２３，２３に横棒１２の両端部を嵌合させることにより、補助給紙板１１の前方への押込みや後部の上方への移動操作によって積層厚さの大きいちらしが過度に前方へ押出されるのを回避して、支障なくちらしの補充をおこなうことができる。また補助給紙板１１の後端部１１ａは横棒１２より後側位置にあるので、長尺のちらしの場合でも、補助給紙板１１上のちらしの後部が大きく垂下がるのを防止して、支障なくちらしの補充をおこなうことができ、このように横棒１２は補助給紙板１１の後端部１１ａ以外の位置に取付けてもよい。
【００２６】
この発明は上記各例に限定されるものではなく、たとえば上記の帯板１５，１６の一方あるいは両方の付設を省略するなど、補助給紙板の構造や形状は上記以外のものとしてもよく、また切欠き２２，２３も、角溝状あるいは三角溝状など、上記以外の形状としてもよい。
【００２７】
またこの発明は、上記のちらし丁合用の丁合機の他、広く新聞増頁等を含むちらし類を丁合対象物とする新聞折込広告丁合用の丁合機や、新聞本紙にちらし類を折込む丁合機に用いるちらし類補充装置にも適用できるものである。
【図面の簡単な説明】
【００２８】
【図１】この発明の実施の形態の一例を示す丁合機の要部縦断面図（図２のＡ−Ａ線断面図）である。
【図２】図１の矢視Ｂ−Ｂ平面図である。
【図３】図２のＣ−Ｃ線断面図である。
【図４】図１のちらし補充装置の動作を示す縦断面図である。
【図５】図１のちらし補充装置の動作を示す縦断面図である。
【図６】図１のちらし補充装置の動作を示す縦断面図である。
【図７】図１のちらし補充装置の動作を示す縦断面図である。
【図８】図１のちらし補充装置の動作を示す縦断面図である。
【図９】この発明の実施の形態の他の例を示す図１相当図である。
【符号の説明】
【００２９】
１…丁合機、３Ａ…給紙板、１１…補助給紙板、１２…横棒、２１ａ…ガイド板、２１ｂ…ガイド板、２２…切欠き、２３…切欠き、３０…ちらし補充装置、３１…ちらし、３３…ちらし、３５…ちらし補充装置。
【図１】
2006069690.tif 000003
【図２】
2006069690.tif 000004
【図３】
2006069690.tif 000005
【図４】
2006069690.tif 000006
【図５】
2006069690.tif 000007
【図６】
2006069690.tif 000008
【図７】
2006069690.tif 000009
【図８】
2006069690.tif 000010
【図９】
2006069690.tif 000011